(57)【要約】【課題】フライパンを使って炒め物を調理する際に、炒め物を混ぜたり、分けたりしやすいフライパンを提供する。【解決手段】把手（１２０）の延長線上であって把手（１２０）と反対側において、容器（２１０）には把手（１２０）から離れる方向に突出する突出部（１３０）が形成されており、突出部（１３０）は把手（１２０）から離れるにつれて先細になるテーパ形状をなしている。また、容器（２１０）には、把手（１２０）と接する側において、突出部（１３０）に向かって把手（１２０）の延長線上に延びる第二の突出部（２２０）が形成されている。【選択図】図３
2008073096.tif 000002
【特許請求の範囲】
【請求項１】
耐熱性素材からなる容器と、前記容器に対して取り付けられた把手と、からなるフライパンにおいて、
前記把手の延長線上であって前記把手と反対側において、前記容器には前記把手から離れる方向に突出する突出部が形成されており、前記突出部は前記把手から離れるにつれて先細になるテーパ形状をなしていることを特徴とするフライパン。
【請求項２】
前記容器には、前記把手と接する側において、前記突出部に向かって前記把手の延長線上に延びる第二の突出部が形成されていることを特徴とする請求項１に記載のフライパン。
【発明の詳細な説明】
【技術分野】
【０００１】
本発明はフライパンに関する。
【背景技術】
【０００２】
図５は従来のフライパンの一例を示す平面図である（特許文献１）。
【０００３】
図５に示す従来のフライパン１０は、金属その他の耐熱性素材からなる容器１１と、容器１１に固定された把手１２とから構成されている。
【０００４】
図５に示すように、容器１１はハート型の形状をなしており、その突出端（図５の下端）において、把手１２と結合されている。
【特許文献１】実用新案登録第３０９９０６１号公報（図５）
【発明の開示】
【発明が解決しようとする課題】
【０００５】
一般的な料理法においては、フライパンその他の調理道具に関して、その使用方法が決まっているものが多い。
【０００６】
例えば、フライパンを用いて炒め物をつくる場合、フライパンの先端（把手とは反対側の端部）において炒め物を混ぜれば混ぜやすく、また、フライパンの根元（把手がある側）において炒め物を分ければ分けやすいと言われている。
【０００７】
図５に示した従来のフライパン１０の場合、フライパン１０の先端（ハート型の凹部がある側、すなわち、把手１２とは反対側の端部）が、把手１２の側から見て、凹部状になっているため、炒め物がその凹部を境として分離しやすく、炒め物を混ぜる際には、極めて混ぜにくい構造となっていた。
【０００８】
さらに、フライパン１０の根元（把手１２がある側）も、把手１２の側から見て、凹部状になっているため、ここに炒め物が溜まり易く、炒め物を二分しようとする際には、極めて分けにくい構造となっていた。
【０００９】
本発明はこのような従来のフライパンにおける問題点に鑑みてなされたものであり、フライパンを使って炒め物を調理する際に、炒め物を混ぜたり、分けたりしやすいフライパンを提供することを目的とする。
【課題を解決するための手段】
【００１０】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１１】
この目的を達成するため、本発明は、耐熱性素材からなる容器（１１０）と、前記容器（１１０）に対して取り付けられた把手（１２０）と、からなるフライパン（１００）において、前記把手（１２０）の延長線上であって前記把手（１２０）と反対側において、前記容器（１１０）には前記把手（１２０）から離れる方向に突出する突出部（１３０）が形成されており、前記突出部（１３０）は前記把手（１２０）から離れるにつれて先細になるテーパ形状をなしていることを特徴とするフライパン（１００）を提供する。
【００１２】
前記フライパン（２００）においては、前記容器（２１０）には、前記把手（１２０）と接する側において、前記突出部（１３０）に向かって前記把手（１２０）の延長線上に延びる第二の突出部（２２０）が形成されていることが好ましい。
【発明の効果】
【００１３】
本発明に係るフライパンはその先端（把手とは反対側の端部）に突出部が形成されているため、例えば、フライパンを前後に振ることにより、突出部の内部またはその周辺において、炒め物を容易に混ぜることができるようになっている。
【００１４】
また、本発明に係るフライパンの容器には、把手と接する側に第二の突出部が形成されているため、この第二の突出部を境界として、炒め物を容易に二分することができる。
【発明を実施するための最良の形態】
【００１５】
（第１の実施形態）
図１は本発明の第１の実施形態に係るフライパン１００の斜視図であり、図２は図１に示したフライパン１００の側面図である。
【００１６】
本実施形態に係るフライパン１００は、アルミニウムその他の金属、耐熱性樹脂などの耐熱性素材からなる容器１１０と、容器に１１０に対して固定された把手１２０とから、構成されている。
【００１７】
把手１２０の延長線上であって把手１２０とは反対側において、容器１１０には把手１２０から離れる方向に突出する突出部１３０が形成されている。
【００１８】
突出部１３０は、上方から見たときに、把手１２０から離れるにつれて先細になるテーパ形状をなしている。
【００１９】
このように、本実施形態に係るフライパン１００はその先端（把手１２０とは反対側の端部）に突出部１３０が形成されているため、フライパン１００を前後に振ることにより、突出部１３０の内部またはその周辺において、炒め物を容易に混ぜることができるようになっている。
【００２０】
（第２の実施形態）
図３は本発明の第２の実施形態に係るフライパン２００の斜視図であり、図４は図３に示したフライパン２００の側面図である。
【００２１】
本実施形態に係るフライパン２００は、アルミニウムその他の金属、耐熱性樹脂などの耐熱性素材からなる容器２１０と、容器に１１０に対して固定された把手１２０とから、構成されている。
【００２２】
容器２１０には、第１の実施形態の場合と同様に、その先端（把手１２０とは反対側の端部）に突出部１３０が形成されている。
【００２３】
本実施形態に係るフライパン２００における容器２１０には、把手１２０と接する側において、突出部１３０に向かって把手１２０の延長線上に延びる第二の突出部２２０が形成されている。
【００２４】
本実施形態に係るフライパン２００における容器２１０は、突出部１３０と第二の突出部２２０が形成されていることにより、上方から見たときに、ハート型に近い外形をなしている。
【００２５】
本実施形態に係るフライパン２００はその先端（把手１２０とは反対側の端部）に突出部１３０が形成されているため、第１の実施形態に係るフライパン１００と同様の効果を奏する。
【００２６】
それに加えて、本実施形態に係るフライパン２００の容器２１０には、把手１２０と接する側に第二の突出部２２０が形成されているため、この第二の突出部２２０を境界として、炒め物を容易に二分することができる。二分した炒め物はさらに混ぜ合わせてもよく、あるいは、二分した炒め物の何れか一方から味付けをしたりすることができる。
【図面の簡単な説明】
【００２７】
【図１】本発明の第１の実施形態に係るフライパンの斜視図である。
【図２】図１に示した本発明の第１の実施形態に係るフライパンの側面図である。
【図３】本発明の第２の実施形態に係るフライパンの斜視図である。
【図４】図３に示した本発明の第２の実施形態に係るフライパンの側面図である。
【図５】従来のフライパンの平面図である。
【符号の説明】
【００２８】
１００  本発明の第１の実施形態に係るフライパン
１１０  容器（第１の実施形態）
１２０  把手
１３０  突出部
２００  本発明の第２の実施形態に係るフライパン
２１０  容器（第２の実施形態）
２２０  第二の突出部
【図１】
2008073096.tif 000003
【図２】
2008073096.tif 000004
【図３】
2008073096.tif 000005
【図４】
2008073096.tif 000006
【図５】
2008073096.tif 000007